(57)【要約】【課題】大型のカムフォロアを取付母材に確実に取り付けることのできるカムフォロアの取付構造を提供する。【解決手段】カムフォロア１のスタッド２の一端側に設けた軸受面の周りに、転動体を介して外輪を回動自在に設け、前記スタッドの他端側に雄ねじ部を形成する。スタッド２を取付母材２０のカムフォロア装着孔２０ａに挿通させ、雄ねじ部４に螺着するナット１０と取付母材２０との間に座金４０を介装する。座金４０は、中央にスタッド挿通孔４０ａを、該スタッド挿通孔４０ａの周囲に複数のねじ孔４０ｃをそれぞれ備え、各ねじ孔４０ｃに止めねじ４１を螺着することによって、座金４０を取付母材２０に固定する。また、座金４０のナット側座面に、ナット１０の多角形状の外側面１０ａに当接する回止片４０ｂ，４０ｂを突設する。【選択図】  図１
2007278382.tif 000002
【特許請求の範囲】
【請求項１】
スタッドの一端側に設けた軸受面の周りに、転動体を介して外輪を回動自在に設け、前記スタッドの他端側に雄ねじ部を形成し、前記スタッドを取付母材のカムフォロア装着孔に挿通させ、前記雄ねじ部にナットを螺着することによってカムフォロアを取付母材に取り付けるカムフォロアの取付構造において、前記取付母材とナットとの間に、中央にスタッド挿通孔を、該スタッド挿通孔の周囲に複数のねじ孔をそれぞれ備え、各ねじ孔に止めねじを螺着することによって前記取付母材に回転不能に固定される座金を介装したことを特徴とするカムフォロアの取付構造。
【請求項２】
前記座金のナット側座面に、前記ナットの外側面に当接し、該ナットを回り止めする回止片を突設したことを特徴とする請求項１記載のカムフォロアの取付構造。
【発明の詳細な説明】
【技術分野】
【０００１】
本発明は、カムフォロアの取付構造に係り、詳しくは、スタッドに形成した雄ねじ部に螺着されるナットの緩み止めを図ることのできるカムフォロアの取付構造に関する。
【背景技術】
【０００２】
カムフォロアは、スタッドの一端側に設けた軸受面の周りに、転動体を介して外輪を回動自在に設け、前記スタッドの他端側に雄ねじ部を形成し、前記スタッドを取付母材のカムフォロア装着孔に挿通させ、前記雄ねじ部にナットを締結させることによってカムフォロアを取付母材に取り付けている（例えば、特許文献１参照。）。
【特許文献１】実開平２−１２５５６号公報
【発明の開示】
【発明が解決しようとする課題】
【０００３】
上述の取付構造では、サイズがＭ３６程度までのナットを用いてカムフォロアを取付母材に取り付ける場合では、ナットに緩みが生じることがないが、それ以上のサイズのナットを用いて、大型のカムフォロアを取付母材に取り付ける際には、サイズの小さなものに比べて、単位面積当たりの圧着力が低下するので、ナットの締結に大きな力を要し、締結力が不足しているとナットが緩む虞があった。
【０００４】
そこで本発明は、大型のカムフォロアを取付母材に確実に取り付けることのできるカムフォロアの取付構造を提供することを目的としている。
【課題を解決するための手段】
【０００５】
上記の目的を達成するため本発明は、スタッドの一端側に設けた軸受面の周りに、転動体を介して外輪を回動自在に設け、前記スタッドの他端側に雄ねじ部を形成し、前記スタッドを取付母材のカムフォロア装着孔に挿通させ、前記雄ねじ部にナットを螺着することによってカムフォロアを取付母材に取り付けるカムフォロアの取付構造において、前記取付母材とナットとの間に、中央にスタッド挿通孔を、該スタッド挿通孔の周囲に複数のねじ孔をそれぞれ備え、各ねじ孔に止めねじを螺着することによって前記取付母材に回転不能に固定される座金を介装したことを特徴とし、さらに、前記座金のナット側座面に、前記ナットの外側面に当接し、該ナットを回り止めする回止片を突設すると好適である。
【発明の効果】
【０００６】
本発明のカムフォロアの取付構造によれば、取付母材とナットとの間に、複数の止めねじによって取付母材に固定される座金を介装していることから、ナットが緩む虞がない。
【０００７】
また、座金に回止片を設けたことにより、ナット締結後に、止めねじを用いて座金を取付母材に固定すれば、ナットが回動する虞がなく、より確実にナットの緩み止めを図ることができる。
【発明を実施するための最良の形態】
【０００８】
以下、本発明の各形態例を図面に基づいて詳しく説明する。図１乃至図３は本発明の第１形態例を示すもので、図１はカムフォロアの取付構造を示す要部断面側面図、図２は正面図、図３はカムフォロアとスペーサと座金とナットの分解斜視図である。
【０００９】
カムフォロア１は、スタッド２の一端側に設けた軸受面の周りに、転動体を介して外輪３が回動自在に設けられたもので、スタッド２の他端側には、雄ねじ部４が形成されている。このカムフォロア１は、スタッド２を取付母材２０のカムフォロア装着孔２０ａに挿通させ、雄ねじ部４にナット１０を螺着することによって前記取付母材２０に取り付けられるもので、取付母材２０と外輪３との間にはスペーサ３０が、取付母材２０とナット１０との間には座金４０がそれぞれ介装されている。また、本形態例のナット１０としては、六角ナットが用いられている。
【００１０】
スペーサ３０及び座金４０はリング状に形成され、中心部にスタッド挿通孔３０ａ，４０ａが形成されている。座金４０は、ナット１０の外径よりも大径の座面を有し、ナット側座面には、ナット１０の六角形状の外側面１０ａに当接してナット１０を回り止めする２つの回止片４０ｂ，４０ｂが対向して形成されている。また座金４０のスタッド挿通孔４０ａの周囲と、回止片４０ｂ，４０ｂとには、ナット１０を囲むように複数のねじ孔４０ｃが周方向に等間隔に形成されている。
【００１１】
カムフォロア１の取り付けは、スタッド２をスペーサ３０のスタッド挿通孔３０ａ及び取付母材２０のカムフォロア装着孔２０ａに挿通するとともに、取付母材２０から突出したスタッド２に座金４０のスタッド挿通孔４０ａを挿通する。スタッド２が回動しないように、該スタッド２を周知の方法で抑え、ナット１０を、スタッド２の雄ねじ部４にねじ込んで行く。ナット１０の外側面１０ａ，１０ａと、座金４０の回止片４０ｂ，４０ｂとを当接させて、座金４０とともにナット１０を回動させてナット１０をさらにスタッド２にねじ込み、ナット１０を雄ねじ部４に締結させ、座金４０を取付母材２０に当接させる。次いで、座金４０の各ねじ孔４０ｃに六角穴付きの止めねじ４１を螺合させ、該止めねじ４１を前記取付母材２０に当接するまで押し込み、座金４０を取付母材２０に回転不能に固定する。
【００１２】
このようにナット１０は、取付母材２０に固定される座金４０を介してスタッド２の雄ねじ部４に締結され、さらに、回止片４０ｂ，４０ｂがナット１０の外側面１０ａ，１０ａに当接していることから、ナット１０が回動することがなく、カムフォロア１を取付母材２０に確実に取り付けることができる。特に、大型のカムフォロアで、雄ねじ部４及びナット１０のサイズがＭ３６を超える場合は、ナットの締結に大きな力を要し、締結力が不足する虞があるが、上述のような取付構造とすることで、ナット１０の緩みを効果的に防止することができ、例えば、外輪３の径が１５０ｍｍ，雄ねじ部４及びナット１０のサイズがＭ４８というような、特に大型のカムフォロア１を確実に取付母材２０に取り付けることができる。
【００１３】
図４は、本発明の第２形態例を示すもので、第１形態例と同様の構成要素には同一の符号を付してその詳細な説明は省略する。
【００１４】
本形態例は、前記第１形態例の座金に突設する回止片を省略したもので、座金４０に回止片を突設しなくても、座金４０が複数の止めねじ４１によって取付母材２０に固定されていることから、Ｍ３６程度のサイズのナット１０の緩みを効果的に防止することができる。
【００１５】
なお、本発明のナットは上述の形態例のように六角ナットに限るものではなく、第１形態例のように回止片を設けるものであれば、多角形のナットであれば良く、また、第２形態例のように回止片を設けないものであれば、丸形のナットでも良い。また、止めねじについても、六角穴付きの止めねじに限るものではなく、すり割り付きの止めねじ等、周知のものを適用でき、先端が丸先でも尖り先でも良い。また、座金に設ける回り止め片は、座金と一体に形成しても良いが、別部材を溶接して形成しても良い。
【図面の簡単な説明】
【００１６】
【図１】本発明の第１形態例を示すカムフォロアの取付構造を示す要部断面側面図である。
【図２】同じく正面図である。
【図３】同じくカムフォロアとスペーサと座金とナットの分解斜視図である。
【図４】本発明の第２形態例を示すカムフォロアの取付構造を示す要部断面図である。
【符号の説明】
【００１７】
１…カムフォロア、２…スタッド、３…外輪、４…雄ねじ部、１０…ナット、１０ａ…外側面、２０…取付母材、２０ａ…カムフォロア装着孔、３０…スペーサ、３０ａ…スタッド挿通孔、４０…座金、４０ａ…スタッド挿通孔、４０ｂ…回止片、４０ｃ…ねじ孔、４１…止めねじ
【図１】
2007278382.tif 000003
【図２】
2007278382.tif 000004
【図３】
2007278382.tif 000005
【図４】
2007278382.tif 000006